(57)【要約】      （修正有）【課題】遊技球を特定領域と通常領域のいずれかに振分ける振分装置を有するパチンコ遊技機において、出球率の設定に大きく影響する開閉扉の１作動に対する特定領域への通過率を極力一定としつつ、特定領域への流下率や流下形態に対して遊技の興趣性を持たせるための手段を提供する。【解決手段】特典付与契機遊技の際に振分装置内に入球した遊技球のハズレが確定した後に次の特典付与契機遊技の実行許可を出すよう構成されていると共に、ハズレが確定した球を利用して擬似振分球演出を実行するよう構成されているパチンコ遊技機。【選択図】図４
2010004978.tif 000002
【特許請求の範囲】
【請求項１】
遊技球が入球可能な始動口と、
入球口を備えた遊技部品と、
前記遊技部品の前記入球口に備えられた可変部材であって、前記可変部材が開状態であるときには前記入球口を介して遊技球が前記遊技部品内に侵入可能であると共に、前記可変部材が閉状態であるときには前記入球口を介して遊技球が前記遊技部品内に侵入不能であるよう構成された可変部材と、
前記可変部材を開閉駆動するための可変部材開閉駆動手段と、
前記遊技部品内に設けられた、遊技球を検知するための第一遊技球検知手段と、
前記始動口に遊技球が入球した場合、駆動許可要件充足を条件として、前記可変部材開閉駆動手段を駆動して前記可変部材を前記閉状態から前記開状態に変化させて特典付与契機遊技を実施する、可変部材開閉駆動制御手段と、
前記遊技部品内に入球した遊技球が前記第一遊技球検知手段により検知された場合、遊技者に対して特典を付与する特典付与手段と
を有するパチンコ遊技機において、
前記パチンコ遊技機は、
前記可変部材開閉駆動制御手段による前記特典付与契機遊技の際に前記遊技部品内に遊技球が入球した場合、当該遊技球が前記第一遊技球検知手段に検知されないことが確定したことを判別するハズレ確定判別手段と、
前記ハズレ確定判別手段によりハズレが確定したと判別された遊技球の少なくとも一部が案内される、前記遊技部品内又は前記遊技部品外に存在する確定球演出領域と、
前記確定球演出領域内に設けられた、擬似特定領域と擬似通常領域を有する擬似振分手段と
を更に有しており、かつ、
前記特典付与契機遊技の際に入球した遊技球のすべてに関し、前記ハズレ確定判別手段がハズレ確定と判別したときには、前記可変部材開閉駆動制御手段は、前記確定球演出領域に遊技球が存在している状況であっても、当該可変部材が前記閉状態となった以後に前記始動口に遊技球が入球した場合、前記駆動許可要件を充足したと判断し、次の前記特典付与契機遊技を実施する
ことを特徴とするパチンコ遊技機。
【請求項２】
前記遊技部品は、
前記遊技部品内に入球した遊技球を前記第一遊技球検知手段に誘導する第一球流路と、
前記第一球流路に誘導されなかった前記遊技部品内に入球した遊技球が導かれる球流路であって、当該球流路に導かれた遊技球の少なくとも一部が前記確定球演出領域に案内されるよう構成された第二球流路と
を更に有しており、
前記ハズレ確定判別手段は、
前記第二球流路に導かれた遊技球を検知するための第二遊技球検知手段
を有する、請求項１記載のパチンコ遊技機。
【請求項３】
前記遊技部品は、
前記入球口に入球した直後の遊技球を検知する第三遊技球検知手段
を更に有しており、
前記ハズレ確定判別手段は、
前記第三遊技球検知手段で遊技球が検知されてからの時間を計測する時間計測手段と、
前記時間計測手段を参照し、前記第一遊技球検知手段での遊技球の非検知時間が所定時間に到達した場合にハズレが確定したと判定する、ハズレ判定手段と
を有する、請求項１記載のパチンコ遊技機。
【請求項４】
前記パチンコ遊技機は、
前記第一遊技球検知手段により遊技球が検知されていない状況下で、遊技球が前記確定球演出領域に案内された場合、当該遊技球のすべてが前記擬似通常領域に誘導されるよう制御する、ハズレ球擬似通常領域誘導制御手段
を更に有する、請求項１〜３のいずれか一項記載のパチンコ遊技機。
【請求項５】
前記パチンコ遊技機は、
前記第一遊技球検知手段により遊技球が検知された状況下で、遊技球が前記確定球演出領域に案内された場合、当該遊技球の少なくとも一部が前記擬似特定領域に誘導されるよう制御する、当たり球擬似特定領域誘導制御手段
を更に有する、請求項１〜４のいずれか一項記載のパチンコ遊技機。
【発明の詳細な説明】
【技術分野】
【０００１】
本発明は、通常領域と特定領域を備えた振分装置を有し、非特別遊技状態時に当該装置内に入球した遊技球が前記特定領域に流入等した場合には、遊技者に有利な特別遊技状態に移行するタイプのパチンコ遊技機に関する。
【背景技術】
【０００２】
従来から、弾球遊技機等のパチンコ遊技機には羽根物（第２種）と称されるものがあり、この遊技機では遊技領域内に配設された遊技部品（役物）内に形成された特定の領域（Ｖゾーン）に打球が流入すると大当たりとなるように構成されている。この遊技部品の内外は、電気的に作動する開閉扉等の機構により区画されており、遊技領域内の特定の入賞口（大入賞口作動口）への打球の入賞や特定の図柄の表示に基づいて所定時間開閉扉を作動させ、この作動中（開放中）に打球が遊技部品内に流下案内（入賞）するようになっている。このような羽根物タイプのパチンコ機では、役物への球のアクセス、その作動起点となる入賞口への入賞、並びに役物内での特定領域への流下可否に遊技者の嗜好が現れるのであるが、特に役物内の特定領域への流下可否、換言すると、球の動きによって遊技の成否が決定される。ところで、一般的なパチンコ機は、遊技店が遊技機を設置して遊技を提供し、その提供の対価は遊技機の貸し球料金で得ている。一方、遊技者が獲得した遊技球は景品と交換できるようになっている。このため、遊技機は発射球に対して、一定の範囲内の払出率となるように設定される必要がある。
【特許文献１】特開２００１−３５３２８１
【発明の開示】
【発明が解決しようとする課題】
【０００３】
このような背景の中で、羽根物タイプの遊技機では、遊技店側からは出球率の設定に大きく影響する開閉扉の１作動に対する特定領域への通過率は極力一定にすることがよいとされる一方で、遊技者側からは遊技店が営利目的である以上、勝ち負けが決定される要素として運的要素が必要なことから特定領域への流下率や流下形態が多様に変化する遊技機が嗜好される傾向にあり、この両立は遊技機製造の上で非常に難儀な技術的課題となっている。
【０００４】
そこで、本発明は、遊技球を特定領域と通常領域のいずれかに振分ける振分装置を有するパチンコ遊技機において、出球率の設定に大きく影響する開閉扉の１作動に対する特定領域への通過率を極力一定としつつ、特定領域への流下率や流下形態に対して遊技の興趣性を持たせるための手段を提供することを目的とする。
【課題を解決するための手段】
【０００５】
本発明（１）は、遊技球が入球可能な始動口（第１始動口２１００、第２始動口２２００）と、
入球口を備えた遊技部品（大入賞口２３００）と、
前記遊技部品（大入賞口２３００）の前記入球口に備えられた可変部材であって、前記可変部材が開状態であるときには前記入球口を介して遊技球が前記遊技部品（大入賞口２３００）内に侵入可能であると共に、前記可変部材が閉状態であるときには前記入球口を介して遊技球が前記遊技部品（大入賞口２３００）内に侵入不能であるよう構成された可変部材（大入賞口電動役物２３４０の羽根部）と、
前記可変部材（大入賞口電動役物２３４０の羽根部）を開閉駆動するための可変部材開閉駆動手段（大入賞口電動役物２３４０のソレノイド）と、
前記遊技部品（大入賞口２３００）内に設けられた、遊技球を検知するための第一遊技球検知手段（特定領域入賞検出装置２３２２）と、
前記始動口（第１始動口２１００、第２始動口２２００）に遊技球が入球した場合、駆動許可要件充足を条件として、前記可変部材開閉駆動手段（大入賞口電動役物２３４０のソレノイド）を駆動して前記可変部材（大入賞口電動役物２３４０の羽根部）を前記閉状態から前記開状態に変化させて特典付与契機遊技を実施する、可変部材開閉駆動制御手段（第１段階特別遊技実行手段１１３１）と、
前記遊技部品（大入賞口２３００）内に入球した遊技球が前記第一遊技球検知手段（特定領域入賞検出装置２３２２）により検知された場合、遊技者に対して特典を付与する特典付与手段（第２段階特別遊技実行手段１１３２）と
を有するパチンコ遊技機において、
前記パチンコ遊技機は、
前記可変部材開閉駆動制御手段（第１段階特別遊技実行手段１１３１）による前記特典付与契機遊技の際に前記遊技部品（大入賞口２３００）内に遊技球が入球した場合、当該遊技球が前記第一遊技球検知手段（特定領域入賞検出装置２３２２）に検知されないことが確定したことを判別するハズレ確定判別手段（通常領域入賞検出装置２３３２等）と、
前記ハズレ確定判別手段（通常領域入賞検出装置２３３２等）によりハズレが確定したと判別された遊技球の少なくとも一部が案内される、前記遊技部品内又は前記遊技部品外に存在する確定球演出領域（球演出部β）と、
前記確定球演出領域（球演出部β）内に設けられた、擬似特定領域（擬似特定領域２３５０）と擬似通常領域（擬似通常領域２３６０）を有する擬似振分手段と
を更に有しており、かつ、
前記特典付与契機遊技の際に入球した遊技球のすべてに関し、前記ハズレ確定判別手段（通常領域入賞検出装置２３３２等）がハズレ確定と判別したときには、前記可変部材開閉駆動制御手段（第１段階特別遊技実行手段１１３１）は、前記確定球演出領域（球演出部β）に遊技球が存在している状況であっても、当該可変部材が前記閉状態となった以後に前記始動口に遊技球が入球した場合、前記駆動許可要件を充足したと判断し、次の前記特典付与契機遊技を実施する
ことを特徴とするパチンコ遊技機である。
【０００６】
本発明（２）は、前記遊技部品（大入賞口２３００）は、
前記遊技部品（大入賞口２３００）内に入球した遊技球を前記第一遊技球検知手段（特定領域入賞検出装置２３２２）に誘導する第一球流路（特定領域球流路２３２１）と、
前記第一球流路（特定領域球流路２３２１）に誘導されなかった前記遊技部品（大入賞口２３００）内に入球した遊技球が導かれる球流路であって、当該球流路に導かれた遊技球の少なくとも一部が前記確定球演出領域（球演出部β）に案内されるよう構成された第二球流路（通常領域球流路２３３１）と
を更に有しており、
前記ハズレ確定判別手段は、
前記第二球流路（通常領域球流路２３３１）に導かれた遊技球を検知するための第二遊技球検知手段（通常領域入賞検出装置２３３２）
を有する、前記発明（１）ののパチンコ遊技機である。
【０００７】
本発明（３）は、前記遊技部品（大入賞口２３００）は、
前記入球口に入球した直後の遊技球を検知する第三遊技球検知手段（大入賞口入球検出装置２３１０）
を更に有しており、
前記ハズレ確定判別手段は、
前記第三遊技球検知手段（大入賞口入球検出装置２３１０）で遊技球が検知されてからの時間を計測する時間計測手段｛タイマ１１２１ａ−１（２）｝と、
前記時間計測手段｛タイマ１１２１ａ−１（２）｝を参照し、前記第一遊技球検知手段（特定領域入賞検出装置２３２２）での遊技球の非検知時間が所定時間に到達した場合にハズレが確定したと判定する、ハズレ判定手段（特別遊技制御手段１１００）と
を有する、前記発明（１）のパチンコ遊技機である。
【０００８】
本発明（４）は、前記パチンコ遊技機は、前記第一遊技球検知手段（特定領域入賞検出装置２３２２）により遊技球が検知されていない状況下で、遊技球が前記確定球演出領域（球演出部β）に案内された場合、当該遊技球のすべてが前記擬似通常領域（擬似通常領域２３６０）に誘導されるよう制御する、ハズレ球擬似通常領域誘導制御手段（擬似特定領域遮蔽部材駆動制御手段２８３０、擬似特定領域誘導部材駆動制御手段２８４０）を更に有する、前記発明（１）〜（３）のいずれか一つのパチンコ遊技機である。
【０００９】
本発明（５）は、前記パチンコ遊技機は、前記第一遊技球検知手段（特定領域入賞検出装置２３２２）により遊技球が検知された状況下で、遊技球が前記確定球演出領域（球演出部β）に案内された場合、当該遊技球の少なくとも一部が前記擬似特定領域（擬似特定領域２３５０）に誘導されるよう制御する、当たり球擬似特定領域誘導制御手段（擬似特定領域遮蔽部材駆動制御手段２８３０、擬似特定領域誘導部材駆動制御手段２８４０）を更に有する、前記発明（１）〜（４）のいずれか一つのパチンコ遊技機である。
【００１０】
以下、本特許請求の範囲及び本明細書における各用語の定義を説明する。「遊技球検知手段」とは、遊技球を検知可能であれば特に限定されず、非接触式（例えば、近接スイッチ）及び接触式（例えば、マイクロスイッチ）でもよく、また検出の媒体（例えば、磁界、光、音、位置）も問わない。「特典」とは、遊技媒体の獲得に係るもの｛例えば、従来の第２種の場合であれば、第一段階特別遊技（これが特典付与契機遊技に相当）の後に実行される第二段階特別遊技といった直接的利益だけでなく、補助遊技用始動口への入球に基づく主遊技用始動口の電動役物の開放抽選といった間接的利益を含む｝に限定されず、遊技媒体の獲得に関わらないもの（例えば、通常は見ることができない演出を見ることができる等）をも包含する。
【発明の効果】
【００１１】
本発明（１）によれば、特典付与契機遊技の際に振分装置内に入球した遊技球のハズレが確定した後に次の特典付与契機遊技の実行許可を出すよう構成されているので、まだハズレが確定していない遊技球が振分装置内に存在する状況で次の特典付与契機遊技が実行されることによる、前回の特典付与契機遊技の球の影響を受けての特定領域の流下率が変化することを確実に防止することができる（一作動毎の特定領域入賞率の一定化）と共に、次の特典付与契機遊技を早期に実行することが可能となる（ハズレ球処理の迅速化）という効果を奏する。更に、本発明（１）によれば、ハズレが確定した球を利用して擬似振分球演出を実行するよう構成されているので、早期に次の特典付与契機遊技を実行することに起因する遊技内容の単調化を解消できるという効果をも奏する。
【００１２】
本発明（２）によれば、前記効果に加え、ハズレ確定判別手法として、ハズレが確定した流路に遊技球検知手段というハード的にハズレ確定判定を行う手段を備えるよう構成されているので、当該検知をもってただちにハズレ確定を判別することが可能になるという効果を奏する。
【００１３】
本発明（３）によれば、前記効果に加え、ハズレ確定判別手法として、遊技部品内に入球した遊技球の非当選時間に基づきソフト的にハズレ確定判定を行う手段を備えるよう構成されているので、ハズレが確定した流路にセンサ等を設ける必要が無く部品点数の削減を図ることが可能になるという効果を奏する。
【００１４】
本発明（４）によれば、前記効果に加え、ハズレが確定した状況下でハズレ球が確定球演出領域に案内された場合、当該ハズレ球を擬似通常領域に誘導するよう構成されているので、内部的な実際の当否結果と擬似演出での擬似当否結果とに整合性を持たせることができる結果、遊技内容の複雑化や遊技者の混乱を回避することができるという効果を奏する。
【００１５】
本発明（５）によれば、前記効果に加え、当たりが確定した状況下で遊技球が確定球演出領域に案内された場合、当該遊技球を擬似特定領域に誘導するよう構成されているので、内部的な実際の当否結果と擬似演出での擬似当否結果とに整合性を持たせることができる結果、遊技内容の複雑化や遊技者の混乱を回避することができるという効果を奏する。
【発明を実施するための最良の形態】
【００１６】
以下、本発明の最良形態を説明する。尚、以下の最良形態は、従来の第２種パチンコ遊技機に関するものであるが、これに限定されず、振分装置を有する他の遊技機｛例えば、従来の第１種や第３種、一般電役、普通機、複合機（例えば、従来の第１種の機能を二つ有する遊技機、従来の第１種の機能と従来の第２種の機能を一つ有する遊技機）といったパチンコ遊技機や、雀球遊技機、アレンジボールといった他の遊技機｝に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。
【００１７】
更に、以下の最良形態では、始動入賞口に入賞したことに基づく振分装置（大入賞口）の可変部材の開閉動作を「第１段階特別遊技」と称し、前記第１段階特別遊技の際に入賞した遊技球が振分装置内の特定領域を通過したことに基づく振分装置の可変部材の継続的な開閉動作を「第２段階特別遊技」と称している。尚、第１段階特別遊技と第２段階特別遊技とは有機的に連結しているものであるので、実際の機種においては、両者を併せて「特別遊技」と称している。
【００１８】
まず、図１を参照しながら、本最良形態に係るパチンコ遊技機の前面側の基本構造を説明する。パチンコ遊技機１は、主に遊技機枠と遊技盤で構成される。以下、これらを順に説明する。
【００１９】
はじめに、パチンコ遊技機１の遊技機枠は、外枠１０２、前枠１０４、透明板１０６、扉１０８、上球皿１１０、下球皿１１２及び発射ハンドル１１６を含む。まず、外枠１０２は、パチンコ遊技機を設置すべき位置に固定するための枠体である。前枠１０４は、外枠１０２の開口部分に整合する枠体であり、図示しないヒンジ機構を介して外枠１０２に開閉可能に取り付けられる。前枠１０４は、遊技球を発射する機構、遊技盤を着脱可能に収容させるための機構、遊技球を誘導又は回収するための機構等を含む。透明板１０６は、ガラス等により形成され、扉１０８により支持される。扉１０８は、図示しないヒンジ機構を介して前枠１０４に開閉可能に取り付けられる。上球皿１１０は、遊技球の貯留、発射レールへの遊技球の送り出し、下球皿１１２への遊技球の抜き取り等の機構を有する。下球皿１１２は、遊技球の貯留、抜き取り等の機構を有する。また、上球皿１１０と下球皿１１２の間にはスピーカ１１４が設けられており、遊技状態等に応じた効果音が出力される。
【００２０】
次に、遊技盤は、外レール１２２と内レール１２４とにより区画された遊技領域１２０が形成されている。そして、当該遊技領域１２０には、図示しない複数の遊技釘及び風車等の機構や各種一般入賞口の他、第１始動口２１００、第２始動口２２００、大入賞口（振分装置）２３００、演出表示装置２４００、普図始動口２６００、普通図柄表示装置２７００及びアウト口１４２が設置されている。以下、各要素を順番に詳述する。
【００２１】
まず、第１始動口２１００は、第１段階特別遊技移行に係る始動入賞口として設置されている。具体的構成としては、第１始動口２１００は、第１始動口入球検出装置２１１０と、第１始動口電動役物２１２０と、第１始動口電動役物２１２０を開閉させるための第１始動口電動役物ソレノイド２１２０ａとを備える。ここで、第１始動口入球検出装置２１１０は、第１始動口２１００への遊技球の入球を検出するセンサであり、入球時にその入球を示す第１始動口入球情報を生成する。次に、第１始動口電動役物２１２０は、第１始動口２１００に遊技球が入賞不能又は入賞困難な通常状態と遊技球が入賞し易い開放状態に可変する。
【００２２】
次に、第２始動口２２００は、第１段階特別遊技移行に係る始動入賞口として設置されている。具体的構成としては、第２始動口２２００は、第２始動口２２００への遊技球の入球を検出するセンサであり、入球時にその入球を示す第２始動口入球情報を生成する第２始動口入球検出装置２２１０を備える。
【００２３】
次に、大入賞口２３００は、（１）第１始動口２１００及び第２始動口２２００へ遊技球が入球することに基づき開状態となる、（２）第１段階特別遊技において大入賞口２３００の特定領域２３１０ａに遊技球が入球した場合に開状態となる、特別遊技（第１段階特別遊技及び第２段階特別遊技）に関係する入賞口である。具体的構成としては、大入賞口２３００は、大入賞口２３００内部に設けられている特定領域２３２０ａ及び通常領域２３３０ａと、遊技球を特定領域２３２０ａ及び通常領域２３３０ａのいずれかへ誘導する誘導装置１７０と、当該大入賞口２３００への遊技球の入球を検出するための大入賞口入球検出装置２３１０と、特定領域２３２０ａへの遊技球の入球を検出するための特定領域入賞検出装置２３２０と、通常領域２３３０ａへの遊技球の入球を検出するための通常領域入賞検出装置２３３０と、ハネ部と称される大入賞口電動役物２３４０と、大入賞口電動役物２３４０を開閉させるための大入賞口電動役物ソレノイド２３４０ａと、を備える。上述した大入賞口２３００の内部に設置された各構成部分には、大入賞口電動役物２３４０が開状態の際に入賞した遊技球のみが到達可能であり、大入賞口電動役物２３４０が閉状態の際には到達不能に構成されている。ここで、誘導装置１７０は、夫々が長短複数の回転羽根を有する二つの回転体からなる。これら二つの回転体は常に回転しており、夫々の長い回転羽根同士が近接したときに、その上へ落下した遊技球を特定領域２３２０ａへ誘導する。長い回転羽根同士が近接していないときは、その上へ落下した遊技球は通常領域２３３０ａへ入球する。次に、大入賞口入球検出装置２３１０は、大入賞口２３００への遊技球の入球を検出するセンサであり、入球時にその入球を示す大入賞口入球情報を生成する。次に、大入賞口電動役物２３４０は、大入賞口２３００に遊技球が入賞不能又は入賞困難な通常状態（図中の実線）と遊技球が入賞し易い開放状態（図中の点線）に可変する。
【００２４】
次に、演出表示装置２４００は、特別遊技に係る遊技状態（例えば、第１段階特別遊技に移行したか否か、第２段階特別遊技に移行したか否か、第２段階特別遊技のラウンド数や入球数に関する報知）を表示する。
【００２５】
次に、普図始動口２６００は、普図始動口入球検出装置２６１０を備える。ここで、普図始動口入球検出装置２６１０は、普図始動口２６００への遊技球の入球を検出するセンサであり、入球時にその入球を示す普図始動口入球情報を生成する。尚、普図始動口２６００への遊技球の入球は、第１始動口２１００の第１始動口電動役物２１２０を拡開させるための抽選の契機となる。
【００２６】
次に、普通図柄表示装置２７００は、普通図柄の変動表示及び停止表示が行われる。具体的構成としては、普通図柄表示装置２７００は、普図表示部２７１０と、普図保留表示部２７２０とを備える。ここで、普図保留表示部２７２０は、４個のランプから構成され、当該ランプの点灯個数が、普通図柄変動の保留数（実行されていない普通図柄変動の数）に相当する。
【００２７】
次に、図２の大入賞口（後述する振分部α及び球演出部β）２３００の斜視図、図３の後述する球演出部βの上面図、図４の遊技球（確定球）の経路を示した概念図を参照しながら、本発明の特徴である、大入賞口（振分装置及び球演出装置）２３００の構造を説明する。ここで、当該装置は、当該装置内に入球した遊技球を後述する特定領域２３２０と通常領域２３３０とに振分ける振分部αと、遊技球（確定球）を用いた演出を行う球演出部βとから構成される。以下、これらの図を参照しながら各部を説明することとする。
【００２８】
まず、振分部αは、非特別遊技時には閉状態であり特別遊技時に開状態となる大入賞口電動役物２３４０と、当該大入賞口電動役物２３４０が開状態の際に入球した遊技球を検知するための大入賞口入球検出装置２３１０（左右に設置）と、当該大入賞口入球検出装置２３１０を通過した遊技球が振り分けられる、特定領域２３２０（中央）及び左右二箇所の通常領域２３３０と、を有する。そして、図４に示すように、特定領域２３２０は、例えば貫通型近接センサからなる特定領域入球検出装置２３２２と、当該特定領域入球検出装置２３２２に案内するための特定領域球流路２３２１と、から構成される。また、通常領域２３３０は、例えば貫通型近接センサからなる通常領域入球検出装置２３３２と、当該通常領域入球検出装置２３３２に案内するための通常領域球流路２３３１と、から構成される。このように、本最良形態の一特徴は、特定領域のみならず通常領域についても入球検出装置が備えられている点である。当該構成を採ることで、ハズレが確定したことをより迅速に把握することが可能となる。換言すれば、当該振分部αから出た遊技球は、結果が確定（特定領域入球検出装置２３２２で検知されていれば当該球の当たりが確定し、通常領域入球検出装置２３３２で検知されていれば当該球のハズレが確定）しているともいえる。
【００２９】
次に、球演出部βは、振分部αからの、結果が確定している遊技球が導かれ当該遊技球で球演出が実行される領域である。具体的には、球演出部βは、見せかけの特定領域である擬似特定領域２３５０と、見せかけの通常領域である擬似通常領域２３６０と、閉状態及び開状態に変位可能であり、閉状態の際には当該擬似特定領域２３５０内に遊技球は入球不能であるが開状態の際には当該擬似特定領域２３５０内に遊技球は入球可能である擬似特定領域遮蔽部材２３７０と、突出位置及び引込位置に変位可能な擬似特定領域誘導部材２３８０とを有している。ここで、図３に示すように、上図の場合には、擬似特定領域誘導部材２３８０は、振分部αから落下した遊技球を擬似特定領域２３５０に導く突出位置に配され、下図の場合には、擬似特定領域誘導部材２３８０は、落下してきた遊技球に対して何も影響を与えない引込み位置に配される。尚、当該擬似特定領域誘導部材２３８０と協働して、擬似特定領域誘導部材２３８０が突出位置に配されている状況下では、擬似特定領域遮蔽部材２３７０は開状態となり、逆に、擬似特定領域誘導部材２３８０が引込位置に配されている状況下では、擬似特定領域遮蔽部材２３７０は閉状態となる。尚、当該擬似特定領域２３５０は、当該領域の遊技球通過を検知する擬似特定領域入球検知センサ２３５１を更に有している。
【００３０】
次に、図５を参照しながら、パチンコ遊技機の背面側における基本構造を説明する。パチンコ遊技機は、パチンコ遊技機の全体動作の制御（即ち、遊技者の利益と直接関係する制御）を行う主制御装置（メイン基板）１０００と、遊技の興趣性を高める演出が表示される演出表示装置２４００と、遊技内容に興趣性を付与する演出表示装置２４００上での各種演出・情報報知に係る表示制御を行う演出表示制御手段（サブ基板）２５００と、賞球タンク２１２、賞球レール２１４及び各入賞口への入賞に応じて賞球タンク２１２から供給される遊技球を上球皿１１０へ払い出す払出ユニット２１６等を備える賞球払出機構（セット基盤）２１０と、払出ユニット２１６による払出動作を制御する賞球払出装置３０００と、上球皿１１０の遊技球（貯留球）を遊技領域１２０へ１球ずつ発射する発射装置２３２と、発射装置２３２の発射動作を制御する発射制御基板２３０と、パチンコ遊技機の各部へ電力を供給する電源ユニット２９０と、パチンコ遊技機の電源をオンオフするスイッチである電源スイッチ２９２等が、前枠１０４裏面（遊技側と反対側）に設けられている。
【００３１】
次に、図６のブロック図を参照しながら、本最良形態に係るパチンコ遊技機の各種機能について説明する。尚、図６中の点線囲みは変更例の手段であり、これについては後述する。はじめに、主制御装置１０００は、遊技周辺機器である、第１始動口２１００及び第２始動口２２００と、大入賞口（振分装置）２３００と、演出表示装置２４００での各種表示制御を司る演出表示制御手段２５００と、球演出制御手段２８００と、普図始動口２６００と、普通図柄表示装置２７００と、主制御装置１０００からの払出指示に基づき所定数の賞球の払出制御を行う賞球払出装置３０００と、情報伝達可能に接続されている。その他、図示しないが、各種遊技効果ランプ１９０（例えばサイドランプ）やスピーカ１１４等とも電気的に接続されている。尚、主制御装置１０００等は、ハードウエア的にはデータやプログラムを格納するＲＯＭやＲＡＭ、演算処理に用いるＣＰＵ等の素子等から構成される。尚、以下で主制御装置１０００に含まれるとする各手段を周辺機器（例えば演出表示制御装置２５００）に搭載される形で構成してもよい。例えば、本最良形態では、主制御装置１０００に払出制御機能を持たせているが、例えば賞球払出装置３０００内に持たせるように構成してもよい。同様に、周辺機器（例えば演出表示制御手段２５００）に含まれるとする各手段を主制御装置１０００に搭載される形で構成してもよい。以下、上記各手段（装置）の詳細を説明する。
【００３２】
主制御装置１０００は、通常遊技よりも遊技者にとって有利な特別遊技を制御するための特別遊技制御手段１１００と、第１始動口２１００の第１始動口電動役物２１２０の開閉決定に関連する各種処理を行うための電チュー開閉制御手段１２００と、演出表示制御手段２５００側に各種遊技情報｛例えば、特別遊技の開始信号・状態情報・終了信号等｝を送信するための情報送信手段１３００と、各種入賞口への遊技球の入賞に基づき所定の賞球の払出を行うように賞球払出装置３０００を制御するための賞球払出決定手段１４００とを有している。
【００３３】
特別遊技制御手段１１００は、各入賞口（始動口等）への流入を判定するための入球判定手段１１１０と、特別遊技に移行するための条件を充足しているか否かを判定するための条件判定手段１１２０と、前記条件を充足している場合に特別遊技を実行するための特別遊技実行手段１１３０と、特別遊技に関する各種処理の時間管理を行うための特別遊技時間管理手段１１４０と、特別遊技に関する情報｛各種フラグ（第１段階特別遊技に関するフラグ、第２段階特別遊技に関するフラグ）のオンオフ状況、第２段階特別遊技中に関する情報（単位遊技における大入賞口２３００への遊技球の入球個数等）等｝を一時記憶するための特別遊技関連情報一時記憶手段１１５０と、を有している。以下、各手段について詳述する。
【００３４】
まず、入球判定手段１１１０は、第１段階特別遊技への移行契機となる遊技球入球信号を第１始動口２１００及び第２始動口２２００から受信したか否かを判定する始動口入球判定手段１１１１と、大入賞口２３００内に遊技球が入球したことの検知信号を大入賞口入球検出装置２３１０から受信したか否かを判定する大入賞口入球判定手段１１１４と、大入賞口２３００内から遊技球が排出されたことの検知信号を大入賞口排出検出装置２３９０から受信したか否かを判定する大入賞口排出判定手段１１１５と、第２段階特別遊技への移行契機となる遊技球入球信号を大入賞口２３００の特定領域入賞検出装置２３２２から受信したか否かを判定する特定領域通過判定手段１１１２と、入球した遊技球がハズレ確定であることの検知信号を通常領域入賞検出装置２３３２から受信したか否かを判定する通常領域通過判定手段１１１３と、を有している。
【００３５】
次に、条件判定手段１１２０は、第１段階特別遊技への移行条件を充足しているか否かを判定する第１段階特別遊技条件判定手段１２２１と、第１段階特別遊技の際に第２段階特別遊技への移行条件を充足しているか否かを判定する第２段階特別遊技条件判定手段１２２２と、を有している。ここで、第１段階特別遊技条件判定手段１２２１は、第１段階特別遊技が実行された直後に次の第１段階特別遊技を実行してもよいか否かを判定するための次第１段階特別遊技実行許可判定手段１１２１ａを更に有している。
【００３６】
次に、特別遊技実行手段１１３０は、大入賞口２３００の大入賞口電動役物２３４０を駆動して第１段階特別遊技を実行するための第１段階特別遊技実行手段１１３１と、大入賞口２３００の大入賞口電動役物２３４０を駆動して第２段階特別遊技を実行するための第２段階特別遊技実行手段１１３２と、を有している。
【００３７】
次に、特別遊技時間管理手段１１４０は、第２段階特別遊技の移行条件となる、大入賞口２３００の特定領域２３２０ａ（特定領域入賞検出装置２３２０）への遊技球入球有効時間（大入賞口入球検出装置２３１０での遊技球入球検出からの所定時間）を計測する特定領域有効タイマ１１４１と、第１段階特別遊技中の大入賞口２３００の開閉時間を計測する第１段階開閉タイマ１１４２と、第２段階特別遊技における単位遊技時間を計測する第２段階開閉タイマ１１４３と、を有している。
【００３８】
次に、電チュー開閉制御手段１２００は、普図始動口２６００に遊技球が流入したか否かを判定する普図始動口入球判定手段１２１０と、普通図柄当選乱数の取得の可否を判定し、当該判定結果に基づき当該乱数を取得するための普図乱数取得判定実行手段１２２０と、普通図柄変動許可が下りていない状況で取得した当該普通図柄当選乱数を一時記憶するか否かを判定し、当該判定結果に基づき前記乱数を図柄変動許可が下りるまで普図保留情報一時記憶手段１２３１に保留するための普図保留手段１２３０と、取得した普通図柄当選乱数に基づき、普通図柄の停止図柄を決定する普図内容決定手段１２４０と、普通図柄表示装置２７００の普図表示部２７１０上で、所定時間普通図柄を変動させた後に停止表示する制御を行う普図制御手段１２５０と、第１始動口２１００の第１始動口電動役物２１２０の開閉決定に直接関連する各種処理を行うための電チュー開閉実行制御手段１２６０と、補助遊技に関する情報｛各種フラグのオンオフ情報、現在変動中の普通図柄（変動開始条件が成立した普通図柄）に係る停止図柄及び変動態様情報等｝を補助遊技関連情報一時記憶手段１２７０と、を有している。
【００３９】
ここで、普図制御手段１２５０は、普通図柄表示装置２７００の普図表示部２７１０上での普通図柄の変動時間を管理するための普図変動時間管理手段１２５１を有している。また、普図変動時間管理手段１２５１は、時間を計測可能な普図変動管理用タイマ１２５１ａを更に有している。
【００４０】
電チュー開閉実行制御手段１２６０は、第１始動口２１００の第１始動口電動役物２１２０を開閉する処理を行うための条件を充足しているか否かを判定するための条件判定手段１２６１と、第１始動口２１００の第１始動口電動役物２１２０の駆動（開放）時間を計測する開放タイマ１２６２と、を有している。
【００４１】
次に、遊技周辺機器について説明する。尚、一部の周辺機器については既に詳細構成を述べたので、残る構成について説明する。
【００４２】
まず、球演出部（球演出領域）βは、前述のように、擬似特定領域２３５０と、擬似通常領域２３６０と、擬似特定領域遮蔽部材２３７０と、擬似特定領域誘導部材２３８０とを有している。ここで、擬似特定領域２３５０は、例えば貫通型近接センサからなる擬似特定領域入球検知センサ２３５１を更に有する。また、擬似特定領域遮蔽部材２３７０は、当該擬似特定領域遮蔽部材２３７０を開状態・閉状態に駆動するための擬似特定領域遮蔽部材駆動手段２３７１を更に有する。また、擬似特定領域誘導部材２３８０は、当該擬似特定領域誘導部材２３８０を突出位置・引込位置に駆動するための擬似特定領域誘導部材駆動手段２３８１を更に有する。
【００４３】
次に、演出表示制御手段２５００は、主制御装置１０００側からの各種情報を受信するための表示情報受信手段２５１０と、主制御装置１０００側からの前記情報に基づき、演出表示装置２４００上で演出表示制御を行う表示制御手段２５２０と、を有している。
【００４４】
次に、球演出制御手段２８００は、主制御装置１０００側からの特定領域入球信号を受信するための特定領域入球信号受信手段２８１０と、擬似特定領域２３５０に遊技球が入球したか否かを判定する擬似特定領域入球判定手段２８２０と、擬似特定領域遮蔽部材２３７０の擬似特定領域遮蔽部材駆動手段２３７１を駆動制御するための擬似特定領域遮蔽部材駆動制御手段２８３０と、擬似特定領域誘導部材２３８０の擬似特定領域誘導部材駆動手段２３８１を駆動制御するための擬似特定領域誘導部材駆動制御手段２８４０と、球演出に関連する情報（フラグ等）を一時記憶する球演出関連情報一時記憶手段２８５０と、を有している。
【００４５】
次に、図７〜図１３のフローチャートを参照しながら、本最良形態に係るパチンコ遊技機の処理の流れを説明する。まず、図７は、主制御装置１０００が行う一般的な処理の流れを示したメインフローチャートである。まず、ステップ１１００で、主制御装置１０００は、普図始動口２６００への遊技球の入球に基づく処理に係る、普通図柄当選乱数取得処理を実行する。次に、ステップ１２００で、主制御装置１０００は、普通図柄表示装置２７００の普図表示部２７１０上での普通図柄の変動表示・停止表示処理及び普通図柄当選乱数が当選値であった場合の処理に係る、電チュー駆動判定・実行処理を実行する。次に、ステップ１３００で、主制御装置１０００は、第１段階特別遊技の移行判定に係る、特別遊技作動条件判定処理を実行する。次に、ステップ１４００で、主制御装置１０００は、第１段階特別遊技の実行処理と第２段階特別遊技の移行判定に係る、第１段階特別遊技実行処理を実行する。次に、ステップ１５００で、主制御装置１０００は、第２段階特別遊技の実行処理に係る、第２段階特別遊技実行処理を実行する。次に、ステップ１６００で、主制御装置１０００は、各種入賞口への遊技球の流入に基づく賞球払出の決定処理に係る、賞球払出処理を実行し、再びステップ１１００に戻る。以下、各サブルーチンに係る処理について詳述する。
【００４６】
まず、図８は、図７におけるステップ１１００のサブルーチンに係る、普通図柄当選乱数取得処理のフローチャートである。まず、ステップ１１０２で、普図始動口入球判定手段１２１０は、普図始動口２６００の普図始動口入球検出装置２６１０から普図始動口入球情報を受信したか否かを判定する。ステップ１１０２でＹｅｓの場合、ステップ１１０４で、普図乱数取得判定実行手段１２２０は、普図保留情報一時記憶手段１２３１を参照し、保留球が上限（例えば４個）でないか否かを判定する。ステップ１１０４でＹｅｓの場合、ステップ１１０６で、普図乱数取得判定実行手段１２２０は、普通図柄当選乱数を取得する。次に、ステップ１１０８で、普図保留手段１２３０は、何個目の保留であるかという順番情報と共に、当該乱数を普図保留情報一時記憶手段１２３１にセットする形で保留球を１加算し、次の処理（電チュー駆動判定・実行処理１２００）に移行する。尚、ステップ１１０２及びステップ１１０４でＮｏの場合も、次の処理（電チュー駆動判定・実行処理１２００）に移行する。
【００４７】
次に、図９は、図７におけるステップ１２００のサブルーチンに係る、電チュー駆動判定・実行処理のフローチャートである。まず、ステップ１２０２で、電チュー開閉実行制御手段１２６０は、補助遊技関連情報一時記憶手段１２７０を参照して、電チュー開放中フラグがオフであるか否かを判定する。ステップ１２０２でＹｅｓの場合、ステップ１２０４で、普図制御手段１２５０は、補助遊技関連情報一時記憶手段１２７０を参照して、普通図柄変動中フラグがオフであるか否かを判定する。ステップ１２０４でＹｅｓの場合、ステップ１２０６で、普図内容決定手段１２４０は、普図保留情報一時記憶手段１２３１を参照し、普通図柄に関する保留球があるか否かを判定する。ステップ１２０６でＹｅｓの場合、ステップ１２０８で、普図内容決定手段１２４０は、当該保留球に基づく普通図柄乱数に基づき停止図柄を決定する。次に、ステップ１２１０で、普図変動時間管理手段１１５１は、普図変動管理用タイマ１１５１ａ−１に所定時間（例えば、３０秒）をセットする。そして、ステップ１２１２で、普図制御手段１２５０は、補助遊技関連情報一時記憶手段１２７０内の普通図柄変動中フラグをオンにする。次に、ステップ１２１４で、普図保留手段１２３０は、普通図柄に関する当該保留球を１減算した上で普図保留情報一時記憶手段１２３１に記録されている保留情報を更新すると共に、普図制御手段１２５０は、普図変動管理用タイマ１２５１ａをスタートした後、普図表示部２７１０上で普通図柄の変動表示を開始する。次に、ステップ１２１６で、普図変動時間管理手段１２５１は、普図変動管理用タイマ１２５１ａを参照して、前記所定時間に到達したか否かを判定する。ステップ１２１６でＹｅｓの場合、ステップ１２１８で、普図制御手段１２５０は、普図表示部２７１０上で、前記ステップ１２０８で普図内容決定手段１２４０が決定した停止図柄を確定表示する。そして、ステップ１２２０で、普図制御手段１２５０は、補助遊技関連情報一時記憶手段１２７０内の普通図柄変動中フラグをオフにする。次に、ステップ１２２２で、条件判定手段１２６１は、当該停止図柄が「当たり」であるか否かを判定する。ステップ１２２２でＹｅｓの場合、ステップ１２２４で、電チュー開閉実行制御手段１２６０は、開放タイマ１２６２に所定時間（例えば、０．５秒）セットする。次に、ステップ１２２６で、電チュー開閉実行制御手段１２６０は、補助遊技関連情報一時記憶手段１２７０内の電チュー開放中フラグをオンにする。そして、ステップ１２２８で、電チュー開閉実行制御手段１２６０は、第１始動口２１００の第１始動口電動役物２１２０を開放する。次に、ステップ１２３０で、電チュー開閉実行制御手段１２６０は、開放タイマ１２６２を参照して、前記所定時間に到達したか否かを判定する。ステップ１２３０でＹｅｓの場合、ステップ１２３２及びステップ１２３４で、電チュー開閉実行制御手段１２６０は、第１始動口２１００の第１始動口電動役物２１２０を閉鎖すると共に、補助遊技関連情報一時記憶手段１２７０内の電チュー開放中フラグをオフにし、次の処理（特別遊技作動条件判定処理１３００）に移行する。
【００４８】
尚、ステップ１２０２でＮｏの場合にはステップ１２３０に移行し、ステップ１２０４でＮｏの場合にはステップ１２１６に移行し、ステップ１２０６、ステップ１２１６、ステップ１２２２及びステップ１２３０でＮｏの場合には次の処理（特別遊技作動条件判定処理１３００）に移行する。
【００４９】
次に、図１０は、図７におけるステップ１３００のサブルーチンに係る、特別遊技作動条件判定処理のフローチャートである。まず、ステップ１３０２で、始動口入球判定手段１１１１は、第１始動口２１００又は第２始動口２２００に遊技球が入球したか否かを判定する。ステップ１３０２でＹｅｓの場合、ステップ１３０４で、次第１段階特別遊技実行許可判定手段１１２１ａは、特別遊技関連情報一時記憶手段１１５０を参照し、第１段階特別遊技禁止フラグがオフであるか否かを判定する。ここで、第１段階特別遊技禁止フラグとは、第１段階特別遊技実行時・第１段階特別遊技実行結果未確定時・第２段階特別遊技実行時に、第１段階特別遊技に係る大入賞口電動役物２３４０の開放を禁止するフラグであり、当該フラグがオンの場合には、第１始動口２１００及び第２始動口２２００に遊技球が入球しても、第１段階特別遊技に係る開放は行わない。ステップ１３０４でＹｅｓの場合、ステップ１３０６で、始動口入球判定手段１１１１は、第１始動口２１００に遊技球が入球したか否かを判定する。ステップ１３０６でＹｅｓの場合、ステップ１３０８で、特別遊技制御手段１１００は、補助遊技関連情報一時記憶手段１２７０内の第１段階特別遊技実行許可フラグＡをオンにし、次の処理（第１段階特別遊技実行処理１４００）に移行する。他方、ステップ１３０６でＮｏの場合、ステップ１３１０で、特別遊技制御手段１１００は、補助遊技関連情報一時記憶手段１２７０内の第１段階特別遊技実行許可フラグＢをオンにし、次の処理（第１段階特別遊技実行処理１４００）に移行する。尚、ステップ１３０２及びステップ１３０４でＮｏの場合にも、次の処理（第１段階特別遊技実行処理１４００）に移行する。尚、本最良形態では、第１段階特別遊技禁止フラグがオンである状況下で始動入賞口に入球した場合には当該入球に基づく利益は何ら享受されないが、当該入球に基づく利益を供すべく、当該入球情報を保留球として一時記憶するよう構成してもよい。この場合、第１段階特別遊技禁止フラグがオフになった時点で当該保留球が解除され、第１段階特別遊技実行許可フラグがオンになる。
【００５０】
次に、図１１は、図７のステップ１４００のサブルーチンに係る、第１段階特別遊技実行処理のフローチャートである。まず、ステップ１４０２で、特別遊技制御手段１１００は、特別遊技関連情報一時記憶手段１１５０を参照して、第１段階開閉継続フラグがオフであるか否かを判定する。ここで、「第１段階開閉継続フラグ」とは、第１段階特別遊技に係る大入賞口２３００の開閉処理が実行中であるか否かを示すフラグであり、オンの場合は大入賞口２３００の開閉処理が実行中であることを意味する。そして、ステップ１４０２でＹｅｓの場合、ステップ１４０４で、特別遊技制御手段１１００は、特別遊技関連情報一時記憶手段１１５０を参照して、特定領域有効フラグがオフであるか否かを判定する。ここで、「特定領域有効フラグ」とは、第１段階特別遊技期間中に特定領域２３２０が有効であるか否かを示すフラグであり、オンの場合に遊技球が特定領域２３２０に入球すると第２段階特別遊技に移行する。ステップ１４０４でＹｅｓの場合、ステップ１４０６で、第１段階特別遊技条件判定手段１１２１は、特別遊技関連情報一時記憶手段１１５０を参照して、第１段階特別遊技実行許可フラグＡ又は第１段階特別遊技実行許可フラグＢがオンであるか否かを判定する。ステップ１４０６でＹｅｓの場合、ステップ１４０８で、第１段階特別遊技条件判定手段１１２１は、特別遊技関連情報一時記憶手段１１５０を参照し、第１段階特別遊技実行許可フラグＡがオンであるか否かを判定する。ステップ１４０８でＹｅｓの場合、ステップ１４１０で、特別遊技制御手段１１００は、第１段階開閉タイマ１１４２及び特定領域有効タイマ１１４１に、第１段階特別遊技に係る大入賞口２３００の開閉時間Ａ及び第１段階特別遊技に係る特定領域有効時間Ａを夫々セットし、ステップ１４１４に移行する。他方、ステップ１４０８でＮｏの場合、ステップ１４１２で、特別遊技制御手段１１００は、第１段階開閉タイマ１１４２及び特定領域有効タイマ１１４１に、第１段階特別遊技に係る大入賞口２３００の開閉時間Ｂ及び第１段階特別遊技に係る特定領域有効時間Ｂを夫々セットし、ステップ１４１４に移行する。次に、ステップ１４１４で、特別遊技制御手段１１００は、特別遊技関連情報一時記憶手段１１５０内の第１段階特別遊技実行許可フラグＡ又は第１段階特別遊技実行許可フラグＢをオフにする。次に、ステップ１４１６〜ステップ１４２２で、特別遊技制御手段１１００（及び次第１段階特別遊技実行許可判定手段１１２１ａ）は、特別遊技関連情報一時記憶手段１１５０内の第１段階特別遊技実行フラグ、第１段階開閉継続フラグ、特定領域有効フラグ及び第１段階特別遊技禁止フラグを夫々オンにする。次に、ステップ１４２４で、第１段階特別遊技実行手段１１３１は、大入賞口２３００の大入賞口電動役物２３４０を駆動して、大入賞口２３００の開閉を開始する。
【００５１】
そして、ステップ１４２６で、第１段階特別遊技実行手段１１３１は、第１段階開閉タイマ１１４２を参照して、第１段階特別遊技の大入賞口２３００の開閉終了時間に到達したか否かを判定する。ステップ１４２６でＹｅｓの場合、ステップ１４２８で、第１段階特別遊技実行手段１１３１は、大入賞口２３００の大入賞口電動役物２３４０の駆動を停止し、大入賞口２３００の開閉を終了する。そして、ステップ１４３０で、特別遊技制御手段１１００は、特別遊技関連情報一時記憶手段１１５０内の第１段階開閉継続フラグをオフにする。次に、ステップ１４３２で、特別遊技時間管理手段１１４０は、第１段階開閉タイマ１１４２をリセットする。
【００５２】
次に、ステップ１４３４で、特別遊技制御手段１１００（特定領域通過判定手段１１１２）は、第１段階特別遊技における前記有効時間内に遊技球が特定領域２３２０に入球したか否か、即ち、前記有効時間内に大入賞口２３００の特定領域入賞検出装置２３２２から遊技球の入球信号を受信したか否かを判定する。ステップ１４３４でＹｅｓの場合、ステップ１４３６で、特別遊技制御手段１１００（情報送信手段１３００）は、サブ側（球演出制御手段２８００側）に、特定領域入球信号を送信する。次に、ステップ１４３８で、第１段階特別遊技実行手段１１３１は、大入賞口２３００の大入賞口電動役物２３４０の駆動を停止し、大入賞口２３００の開閉を終了する。そして、ステップ１４４０で、特別遊技制御手段１１００は、特別遊技関連情報一時記憶手段１１５０内の第１段階開閉継続フラグをオフにする。次に、ステップ１４４２で、特別遊技時間管理手段１１４０は、第１段階開閉タイマ１１４２をリセットする。次に、ステップ１４４４で、特別遊技制御手段１１００は、抽選により当該特別遊技の単位遊技数を決定し、特別遊技関連情報一時記憶手段１１５０に上限単位遊技数（残り単位遊技数）Ｎとして記憶する。次に、ステップ１４４６で、特別遊技制御手段１１００は、特別遊技関連情報一時記憶手段１１５０内の第２段階特別遊技実行許可フラグをオンにする。ここで、「第２段階特別遊技実行許可フラグ」とは、第２段階特別遊技に移行決定されているか否かを示すフラグであり、オンの場合は第２段階特別遊技に移行決定されていることを意味する。次に、ステップ１４４８で、特別遊技制御手段１１００は、特別遊技関連情報一時記憶手段１１５０内の特定領域有効フラグをオフにする。次に、ステップ１４５０で、特別遊技時間管理手段１１４０は、特定領域有効タイマ１１４１をリセットする。そして、ステップ１４５２で、特別遊技制御手段１１００は、特別遊技関連情報一時記憶手段１１５０内の第１段階特別遊技実行フラグをオフにし、次の処理（第２段階特別遊技実行処理１５００）に移行する。このように、特定領域に遊技球が通過した時点で（即ち、大当たりが確定した時点で）、特定領域の有効時間に達していない場合であっても、特定領域有効フラグをオフにし特定領域有効時間タイマをリセットする。尚、当該処理は従来から実行されており、本発明の特徴点では無い。
【００５３】
他方、ステップ１４３４でＮｏの場合以降の処理が、本発明の特徴点である。具体的には、ステップ１４３４でＮｏの場合、ステップ１４５４で、特別遊技制御手段１１００は、特別遊技関連情報一時記憶手段１１５０内の第１段階開閉継続フラグがオフであるか否かを判定する。ステップ１４５４でＹｅｓの場合、即ち、第１段階特別遊技の開放動作が終了した場合、ステップ１４５６で、次第１段階特別遊技実行許可判定手段１１２１ａ（大入賞口入球判定手段１１１４及び通常領域通過判定手段１１１３）は、振分装置２３００（振分部α）内に入球した全ての遊技球が通常領域２３３０に入球したか否かを判定する。具体的には、当該第１段階特別遊技の際に大入賞口２３００に入球した遊技球数と通常領域入賞検出装置２３３２を通過した遊技球数の差が０であるか否かを判定する。ステップ１４５６でＹｅｓの場合、ステップ１４５８で、次第１段階特別遊技実行許可判定手段１１２１ａは、特別遊技関連情報一時記憶手段１１５０内の第１段階特別遊技禁止フラグをオフにし、ステップ１４４８に移行する。ここまでが本発明の特徴的処理である。
【００５４】
他方、ステップ１４５６でＮｏの場合、ステップ１４６０で、特別遊技制御手段１１００は、特定領域有効タイマ１１４１を参照し、前記特定領域有効時間終了タイミングに到達したか否かを判定する。ステップ１４６０でＹｅｓの場合、ステップ１４５８に移行する。
【００５５】
尚、ステップ１４０２でＮｏの場合はステップ１４２６に移行し、ステップ１４０４及びステップ１４２６でＮｏの場合はステップ１４３４に移行し、ステップ１４０６、ステップ１４５４及びステップ１４６０でＮｏの場合は次の処理（第２段階特別遊技実行処理１５００）に移行する。
【００５６】
次に、図１２は、図７のステップ１５００のサブルーチンに係る、第２段階特別遊技実行処理のフローチャートである。まず、ステップ１５０２及びステップ１５０４で、特別遊技制御手段１１００は、特別遊技関連情報一時記憶手段１１５０を参照して、第２段階開閉継続フラグ及び第２段階特別遊技実行フラグがいずれもオフであるか否かを判定する。ここで、「第２段階開閉継続フラグ」とは、第２段階特別遊技の単位遊技が実行中であるか否かを示すフラグであり、オンの場合は単位遊技が実行中であることを意味する。また、「第２段階特別遊技実行フラグ」とは、第２段階特別遊技が継続中であるか否かを示すフラグであり、オンの場合は第２段階特別遊技が継続中（実行中）であることを意味する。そして、ステップ１５０２及びステップ１５０４でＹｅｓの場合、ステップ１５０６で、第２段階特別遊技条件判定手段１１２２は、特別遊技関連情報一時記憶手段１１５０を参照して、第２段階特別遊技実行許可フラグがオンであるか否かを判定する。ステップ１５０６でＹｅｓの場合、ステップ１５０８で、特別遊技制御手段１１００は、特別遊技関連情報一時記憶手段１１５０内の第２段階特別遊技実行許可フラグをオフにする。次に、ステップ１５１０及びステップ１５１２で、特別遊技制御手段１１００は、特別遊技関連情報一時記憶手段１１５０内の第２段階特別遊技実行フラグ及び第２段階開閉継続フラグを夫々オンにする。そして、ステップ１５１４で、特別遊技制御手段１１００は、第２段階開閉タイマ１１４２に第２段階特別遊技に係る大入賞口２３００の開閉時間をセットし、ステップ１５１６に移行する。
【００５７】
次に、ステップ１５１６で、第２段階特別遊技実行手段１１３２は、大入賞口２３００の大入賞口電動役物２３４０を駆動して、大入賞口２３４０の開閉を開始する。そして、ステップ１５１８で、第２段階特別遊技実行手段１１３２は、開閉終了条件が成立したか否か、具体的には、第２段階開閉タイマ１１４３を参照して、第２段階特別遊技の単位遊技終了時間（又は単位遊技終了開閉回数）に到達したか否かを判定すると共に、特別遊技関連情報一時記憶手段１１５０を参照して、所定の入賞個数（例えば１０個）に達したか否かを判定する。ステップ１５１８でＹｅｓの場合、ステップ１５２０で、第２段階特別遊技実行手段１１３２は、大入賞口２３００の大入賞口電動役物２３４０の駆動を停止し、大入賞口２３００の開閉を終了する。そして、ステップ１５２２で、特別遊技制御手段１１００は、特別遊技関連情報一時記憶手段１１５０内の第２段階開閉継続フラグをオフにする。次に、ステップ１５２４で、特別遊技制御手段１１００は、第２段階開閉タイマ１１４３をリセットする。そして、ステップ１５２６で、特別遊技制御手段１１００は、特別遊技関連情報一時記憶手段１１５０内に記憶されている上限単位遊技数（残り単位遊技数）Ｎを１減算する。
【００５８】
そして、ステップ１５２８で、特別遊技制御手段１１００は、特別遊技関連情報一時記憶手段１１５０を参照することにより、上限単位遊技数（残り単位遊技数）Ｎが０であるか否かを判定する。ステップ１５２８でＹｅｓの場合、ステップ１５３０で、次第１段階特別遊技実行許可判定手段１１２１ａは、特別遊技関連情報一時記憶手段１１５０内の第１段階特別遊技禁止フラグをオフにする。そして、ステップ１５３２で、特別遊技制御手段１１００は、特別遊技関連情報一時記憶手段１１５０内の第２段階特別遊技実行フラグをオフにし、次の処理（賞球払出処理１６００）に移行する。
【００５９】
尚、ステップ１５０２でＮｏの場合はステップ１５１８に移行し、ステップ１５０４でＮｏの場合はステップ１５１２に移行し、ステップ１５０６、ステップ１５１８及びステップ１５２８でＮｏの場合は、次の処理（賞球払出処理１６００）に移行する。
【００６０】
次に、本最良形態に係るパチンコ遊技機のサブ基板側での処理を説明する。図１３は、本最良形態の特徴的処理の一つである、球演出制御処理２０００のフローチャートである。はじめに、ステップ２００２で、特定領域入球信号受信手段２８１０は、主制御装置１０００側から特定領域入球信号を受信したか否かを判定する。ステップ２００２でＹｅｓの場合、ステップ２００４で、球演出制御手段２８００は、球演出関連情報一時記憶手段２８５０内の擬似特定領域入球許可フラグをオンにする。次に、ステップ２００６で、球演出制御手段２８００は、球演出関連情報一時記憶手段２８５０内の擬似特定領域入球許可フラグがオフであるか否かを判定する。
【００６１】
ここで、ステップ２００６でＹｅｓの場合が、球演出における強制振分ハズレ演出処理である。即ち、ステップ２００６でＹｅｓの場合、ステップ２００８で、擬似特定領域遮蔽部材駆動制御手段２８３０は、擬似特定領域遮蔽部材駆動手段２３７１を駆動させて、擬似特定領域遮蔽部材２３７０を「閉状態」に変位させる（図３の下図）。次に、ステップ２０１０で、擬似特定領域誘導部材駆動制御手段２８４０は、擬似特定領域誘導部材駆動手段２３８１を駆動させて、擬似特定領域誘導部材２３８０を「引込位置」に変位させ（図３の下図）、ステップ２０１６に移行する。これら処理を実行することにより、球演出に係るすべての球は、擬似特定領域２３５０に誘導されることなく、大部分が擬似通常領域２３６０に向かう。また、万が一擬似特定領域２３５０に向かった遊技球があったとしても、当該遊技球は、擬似特定領域遮蔽部材２３７０の妨害で擬似特定領域２３５０に入球することはできない。このように、球演出に係るすべての球は、擬似通常領域２３６０に入球することとなる。
【００６２】
他方、ステップ２００６でＮｏの場合が、球演出における強制振分当たり演出処理である。即ち、ステップ２００６でＮｏの場合、ステップ２０１２で、擬似特定領域遮蔽部材駆動制御手段２８３０は、擬似特定領域遮蔽部材駆動手段２３７１を駆動させて、擬似特定領域遮蔽部材２３７０を「開状態」に変位させる（図３の上図）。次に、ステップ２０１４で、擬似特定領域誘導部材駆動制御手段２８４０は、擬似特定領域誘導部材駆動手段２３８１を駆動させて、擬似特定領域誘導部材２３８０を「突出位置」に変位させ（図３の上図）、ステップ２０１６に移行する。これら処理を実行することにより、球演出に係るすべての球は、擬似特定領域２３５０に誘導される。また、擬似特定領域２３５０に向かった遊技球は、擬似特定領域遮蔽部材２３７０で妨害されること無く擬似特定領域２３５０に入球する。このように、球演出に係る大部分の球は、擬似特定領域２３５０に入球することとなる。
【００６３】
次に、ステップ２０１６で、擬似特定領域入球信号受信手段２８１０は、擬似特定領域２３５０に遊技球が入球したか否かを判定する。ステップ２０１６でＹｅｓの場合、ステップ２０１８で、球演出制御手段２８００は、球演出関連情報一時記憶手段２８５０内の擬似特定領域入球許可フラグをオフにし、次の処理（ステップ２００２）に移行する。尚、ステップ２００２でＮｏの場合はステップ２００６に移行し、ステップ２０１６でＮｏの場合は次の処理（ステップ２００２）に移行する。
【００６４】
次に、図面を参照しながら、本最良形態に係るパチンコ遊技機の作用について説明する。まず、遊技者が、ハンドル１１６を時計回りに回転させると遊技領域１２０内に遊技球が放出される（図１参照）。この際、当該遊技球が第１始動口２１００又は第２始動口２２００に入賞した場合、第１段階特別遊技が行われる。具体的には、遊技球が、第１始動口２１００に入賞した場合には大入賞口（振分装置）２３００の大入賞口電動役物２３４０を所定回数（所定時間）開閉し、第２始動口２２００に入賞した場合には大入賞口（振分装置）２３００の大入賞口電動役物２３４０を所定回数（所定時間）開閉する。
【００６５】
ここで、本最良形態の特徴的な作用を詳述する。まず、本最良形態に係るパチンコ遊技機では、第１段階特別遊技の際に大入賞口２３００内に遊技球が入球した場合、当該遊技球は、比較的短時間に、特定領域入賞検出装置２３２２又は通常領域入賞検出装置２３３２を通過する。このことは、比較的短時間に、入球した遊技球の振分結果が出ることを意味する。したがって、例えば、第１段階特別遊技終了間際で遊技球が大入賞口２３００内に入球しても、比較的短時間でその振分結果が出るため、すぐに次の第１段階特別遊技を実施することが可能となる。
【００６６】
ここで、通常、比較的短時間で振分結果が出るということは、振分装置内での遊技球の滞在時間が短いことを意味し、遊技内容が退屈なものになりがちである。しかしながら、本最良形態に係るパチンコ遊技機では、振分部αにて振分結果が確定した遊技球を使用して、球演出部βにて球演出が実行される。具体的な球演出の概要は下記の通りである。まず、遊技球が特定領域２３２０に入球するまでは、擬似特定領域遮蔽部材２３７０は遊技球が擬似特定領域２３５０に入球不能に位置する（「閉状態」）と共に、擬似特定領域誘導部材２３８０は遊技球を擬似特定領域２３５０に導かないように位置する（「引込位置」）ため、遊技球は擬似特定領域２３５０に入球しない｛図１４（１）｝。他方、遊技球が特定領域２３２０に入球すると、擬似特定領域遮蔽部材２３７０は遊技球が擬似特定領域２３５０に入球可能に位置する（「開状態」）と共に、擬似特定領域誘導部材２３８０は遊技球を擬似特定領域２３５０に導くように位置する（「突出位置」）ため、遊技球は擬似特定領域２３５０に入球する｛図１４（２）｝。
【００６７】
本最良形態によれば、特典付与契機遊技の際に振分装置内に入球した遊技球のハズレが確定した後に次の特典付与契機遊技の実行許可を出すよう構成されているので、まだハズレが確定していない遊技球が振分装置内に存在する状況で次の特典付与契機遊技が実行されることによる、前回の特典付与契機遊技の球の影響を受けての特定領域の流下率が変化することを確実に防止することができる（一作動毎の特定領域入賞率の一定化）と共に、次の特典付与契機遊技を早期に実行することが可能となる（ハズレ球処理の迅速化）という効果を奏する。更に、本最良形態によれば、ハズレが確定した球を利用して擬似振分球演出を実行するよう構成されているので、早期に次の特典付与契機遊技を実行することに起因する遊技内容の単調化を解消できるという効果をも奏する。
【００６８】
更に、ハズレ確定判別手法として、ハズレが確定した流路に遊技球検知手段というハード的にハズレ確定判定を行う手段を備えるよう構成されているので、当該検知をもってただちにハズレ確定を判別することが可能になるという効果を奏する。
【００６９】
更に、ハズレが確定した状況下でハズレ球が確定球演出領域に案内された場合、当該ハズレ球を擬似通常領域に誘導するよう構成されているので、内部的な実際の当否結果と擬似演出での擬似当否結果とに整合性を持たせることができる結果、遊技内容の複雑化や遊技者の混乱を回避することができるという効果を奏する。
【００７０】
更に、当たりが確定した状況下で遊技球が確定球演出領域に案内された場合、当該遊技球を擬似特定領域に誘導するよう構成されているので、内部的な実際の当否結果と擬似演出での擬似当否結果とに整合性を持たせることができる結果、遊技内容の複雑化や遊技者の混乱を回避することができるという効果を奏する。
【００７１】
次に、本最良形態の変更例を説明する。本最良形態では、通常領域入賞検出装置を大入賞口２３００内に設置することにより、大入賞口２３００内に入球した遊技球のハズレ確定を早期に認定できるように構成したが、これには限定されず、大入賞口２３００内に入球した遊技球が所定時間（大入賞口入球検出装置２３１０で入球検知してから特定領域入賞検出装置２３２２で入球検知するまでの予定時間）経過しても特定領域に到達していない場合にハズレ確定を認定する形態であってもよい。以下、本形態を詳述する。尚、本最良形態と同一構成・処理については説明を省略する。
【００７２】
まず、図６のブロック図を参照しながら、本変更例に係るパチンコ遊技機の各種機能について説明する。本変更例で特徴的な手段は、次第１段階特別遊技実行許可判定手段１１２１ａが有する、大入賞口入球検出装置２３１０で検出してからの経過時間をカウントするためのタイマ１１２１ａ−１である。
【００７３】
次に、図１５を参照しながら、本変更例の特徴的処理を詳述する。ここで、図１５は、図７のステップ１４００のサブルーチンに係る、第１段階特別遊技実行処理のフローチャートである。ここで、ステップ１４０２〜ステップ１４２４までは、本最良形態と同一である。そこで、大入賞口電動役物２３４０（可変部材）の開閉が開始された直後からの処理を説明すると、まず、ステップ１４６２で、特別遊技制御手段１１００は、特別遊技関連情報一時記憶手段１１５０内の第１段階特別遊技許可予約フラグをオンにする。ここで、「第１段階特別遊技許可フラグ」とは、当該第１特別遊技が終了した時点でこのフラグがオンである場合には、特定領域有効フラグや第１段階特別遊技実行フラグを強制的にオフにし、ただちに次の第１段階特別遊技の実行を許可する、というフラグである。尚、第１段階特別遊技開始直後にこのフラグをオンにしている理由は、当該第１特別遊技時に遊技球が大入賞口２３００に入球しない事態を想定しているからである。
【００７４】
このように第１段階特別遊技が開始された後、以下の処理を実行する。具体的には、まず、ステップ１４６４で、特別遊技制御手段１１００は、大入賞口２３００内に遊技球が入球したか否か、即ち、大入賞口入球検出装置２３１０から入球信号を受信したか否かを判定する。ステップ１４６４でＹｅｓの場合、ステップ１４６６で、特別遊技制御手段１１００は、特別遊技関連情報一時記憶手段１１５０を参照し、第１段階特別遊技許可予約フラグがオフであるか否かを判定する。ステップ１４６６でＹｅｓの場合はステップ１４７０に移行し、他方、ステップ１４６６でＮｏの場合、ステップ１４６８で、特別遊技制御手段１１００は、特別遊技関連情報一時記憶手段１１５０内の第１段階特別遊技許可予約フラグをオフにし、ステップ１４７２に移行する。このように、遊技球の入球があった場合には、当該遊技球が特定領域を通過する可能性があるため（即ち、当該第１段階特別遊技の後、ただちに次の第１段階特別遊技を実行してはいけない事態となり得るので）、第１段階特別遊技許可予約フラグをオフにするのである。
【００７５】
次に、ステップ１４７０で、特別遊技制御手段１１００は、特別遊技関連情報一時記憶手段１１５０内のタイマスタートフラグをオンする。次に、ステップ１４７２で、特別遊技制御手段１１００は、タイマ１１２１ａ−１（２）をスタート（リスタート）する。尚、次のステップ１４２６〜ステップ１４３２は、本最良形態と同一である。
【００７６】
次に、以後のステップで、先ほどスタートさせたタイマが所定時間に到達したかを確認する処理を実行する。即ち、先ほど入球した遊技球がもし特定領域に到達していれば特定領域入賞検出装置から入賞信号が送信される筈であるのに予定時間が過ぎても送信されない場合には、当該遊技球は通常領域に振り分けられた、と判断する処理を実行する。具体的には、まず、ステップ１４７４で、特別遊技制御手段１１００は、特別遊技関連情報一時記憶手段１１５０を参照し、タイマスタートフラグがオンであるか否かを判定する。ステップ１４７４でＹｅｓの場合、ステップ１４７６で、特別遊技制御手段１１００は、タイマ１１２１ａ−１（２）を参照し、特定領域非通過時間が所定時間に到達したか否かを判定する。ステップ１４７６でＹｅｓの場合、ステップ１４７８で、特別遊技制御手段１１００は、タイマ１１２１ａ−１（２）をクリアする。次に、ステップ１４８０で、特別遊技制御手段１１００は、特別遊技関連情報一時記憶手段１１５０内のタイマスタートフラグをオフにする。次に、ステップ１４８２で、特別遊技制御手段１１００は、特別遊技関連情報一時記憶手段１１５０内の第１段階特別遊技許可予約フラグをオンにする。
【００７７】
これ以後のステップは本最良形態と略同一である。但し、第１段階特別遊技が終了した後（即ち、第１段階開閉継続フラグがオフの場合）に実行するステップ１４８６が、本最良形態とは異なる。具体的には、ステップ１４８６で、次第１段階特別遊技実行許可判定手段１１２１ａは、特別遊技関連情報一時記憶手段１１５０を参照し、第１段階特別遊技許可予約フラグがオンであるか否かを判定する。そして、ステップ１４８６でＹｅｓの場合、即ち、（１）当該第１段階特別遊技時に大入賞口に遊技球が入球しなかった場合か、（２）当該第１段階特別遊技時に入球した遊技球すべてが通常領域に振り分けられ、かつ、一番最後に入球した遊技球が前述の所定時間を経過している場合には、ステップ１４５８に移行し、第１段階特別遊技禁止フラグがオフとなる。これにより、次の第１段階特別遊技の実施が許可されることとなる。
【００７８】
本変更例によれば、ハズレ確定判別手法として、遊技部品内に入球した遊技球の非当選時間に基づきソフト的にハズレ確定判定を行う手段を備えるよう構成されているので、ハズレが確定した流路にセンサ等を設ける必要が無く部品点数の削減を図ることが可能になるという効果を奏する。
【図面の簡単な説明】
【００７９】
【図１】図１は、本発明の最良形態に係るパチンコ遊技機の正面図である。
【図２】図２は、本発明の最良形態に係るパチンコ遊技機の大入賞口である。
【図３】図３は、本発明の最良形態に係るパチンコ遊技機の大入賞口（球演出部β）である。
【図４】図４は、本発明の最良形態に係るパチンコ遊技機の大入賞口である（概念図）。
【図５】図５は、本発明の最良形態に係るパチンコ遊技機の背面図である。
【図６】図６は、本発明の最良形態に係るパチンコ遊技機のブロック図である。
【図７】図７は、本発明の最良形態に係るパチンコ遊技機における、主制御装置側でのメインフローチャートである。
【図８】図８は、本発明の最良形態に係るパチンコ遊技機における、主制御装置側での普通図柄当選乱数取得処理のフローチャートである。
【図９】図９は、本発明の最良形態に係るパチンコ遊技機における、主制御装置側での電チュー駆動判定・実行処理のフローチャートである。
【図１０】図１０は、本発明の最良形態に係るパチンコ遊技機における、主制御装置側での特別遊技作動条件判定処理のフローチャートである。
【図１１】図１１は、本発明の最良形態に係るパチンコ遊技機における、主制御装置側での第１段階特別遊技実行処理のフローチャートである。
【図１２】図１２は、本発明の最良形態に係るパチンコ遊技機における、主制御装置側での第２段階特別遊技実行処理のフローチャートである。
【図１３】図１３は、本発明の最良形態に係るパチンコ遊技機における、サブ制御装置側での球演出制御処理のフローチャートである。
【図１４】図１４は、本発明の最良形態に係るパチンコ遊技機における作用図（球演出部β）である。
【図１５】図１５は、本発明の最良形態の変更例に係るパチンコ遊技機における、主制御装置側での第１段階特別遊技実行処理のフローチャートである。
【符号の説明】
【００８０】
１１２１ａ−１（２）  タイマ
１１３１  第１段階特別遊技実行手段
１１３２  第２段階特別遊技実行手段
２１００  第１始動口
２２００  第２始動口
２３００  大入賞口
２３１０  大入賞口入球検出装置
２３２１  特定領域球流路
２３２２  特定領域入賞検出装置
２３３１  通常領域球流路
２３３２  通常領域入賞検出装置
２３４０  大入賞口電動役物
２３５０  擬似特定領域
２３６０  擬似通常領域
２８３０  擬似特定領域遮蔽部材駆動制御手段
２８４０  擬似特定領域誘導部材駆動制御手段
β  球演出部
【図１】
2010004978.tif 000003
【図２】
2010004978.tif 000004
【図３】
2010004978.tif 000005
【図４】
2010004978.tif 000006
【図５】
2010004978.tif 000007
【図６】
2010004978.tif 000008
【図７】
2010004978.tif 000009
【図８】
2010004978.tif 000010
【図９】
2010004978.tif 000011
【図１０】
2010004978.tif 000012
【図１１】
2010004978.tif 000013
【図１２】
2010004978.tif 000014
【図１３】
2010004978.tif 000015
【図１４】
2010004978.tif 000016
【図１５】
2010004978.tif 000017